(57)【要約】      （修正有）【課題】使用者以外の他人がディスプレイパネルの上下よりその表示画像を覗き見ることができず、且つ光線制御膜の製造方法を周知の技術よりも大幅に簡易化できる。【解決手段】基材とされる単一層の光線伝導膜を具え、該光線伝導膜の表面に螺旋状或いは多層円形連続波状の不透光領域があり、使用者が光線伝導膜を透過して画像を観る時、螺旋状或いは多層円形連続波状の不透光領域により画像がその可視方向の範囲内でいずれも可視角を具備し、使用者が可視角範囲を超過する時、画像を観られないようにする。【選択図】図４
0003101245.tif 000002
【実用新案登録請求の範囲】
【請求項１】
透光材料で形成された光線伝導膜を具え、該光線伝導膜が水平に延伸された表面と、該表面に垂直な厚さを具え、少なくとも一つの不透光領域が、該光線伝導膜の表面に形成され、該不透光領域が該厚さ方向に延伸された高さと、該表面に平行な長さを具え、
該不透光領域の該長さが該表面に平行な方向に少なくとも３６０度角をなすよう延伸されて、光線伝導膜の表面に少なくとも一つの環状の不透光領域が形成されたことを特徴とする、光線制御膜。
【請求項２】
請求項１記載の光線制御膜において、光線伝導膜の表面にあって不透光領域の長さが半径が漸増する方式で連続して延伸されて、螺旋状の不透光領域が形成されたことを特徴とする、光線制御膜。
【請求項３】
請求項１記載の光線制御膜において、複数の独立し不連続の円状不透光領域を具え、各不透光領域の長さがいずれも３６０度角をなすよう延伸され、各円状不透光領域の中心が同一点とされるが異なる大きさの半径を具え、これにより光線伝導膜の表面に多層円形連続波状の不透光領域が形成されたことを特徴とする、光線制御膜。
【考案の詳細な説明】
【技術分野】
【０００１】
本考案は一種の光線制御膜に係り、特に、螺旋状或いは多層円形連続波状の不透光領域を使用した光線制御膜に関する。
【背景技術】
【０００２】
一般に、使用者がパーソナルコンピュータを使用してパーソナル文献を処理する時、通常、パーソナルコンピュータのディスプレイパネル上のデータの画像を周囲の人に盗み見られたくはないものである。このため、パーソナルコンピュータのディスプレイパネル内には光線制御膜が設けられる。
【０００３】
光線制御膜を使用し、使用者がパーソナルコンピュータを使用する時、そのディスプレイパネルに表示される画像は可視角を具え、周辺の他人がもしこの可視角外に位置するならば、そのディスプレイパネルに表示される画像を観ることはできない。このため使用者がパーソナルコンピュータでパーソナル文献を処理する時、これらの文献データの画像がパーソナルコンピュータのディスプレイパネルを透過して周囲の他人により盗み見されにくくなる。
【０００４】
周知の光線制御膜は完全には使用者以外の他人による盗み見を防止することができない。パーソナルコンピュータのディスプレイパネルを例にとると、図１に示されるように、パーソナルコンピュータのディスプレイパネル１１０内には光線制御膜（図示せず）が設けられ、これにより、ディスプレイパネル１１０の表示する画像はディスプレイパネル１１０の左右両側に可視角θを有する。使用者がこのディスプレイパネル１１０を使用する時、他人がディスプレイパネル１１０の左右両側のこの可視角θの範囲外にあれば、その他人はディスプレイパネル１１０に表示される画像を観ることができない。
【０００５】
しかし、もし図１に示されるように、他人１２０がディスプレイパネル１１０使用者１３０の丁度後方に位置する時、その他人１２０は極めて容易にディスプレイパネル１１０上方よりディスプレイパネルに表示された画像を盗み見ることができる。このため周知の光線制御膜は有効に他人によるディスプレイパネル１１０上下両側からの盗み見を阻止できない。
【０００６】
その原因については図２、３を参照されたい。図２及び図３は周知の光線制御膜の平面図及び断面図である。図２中、光線制御膜２００には直條状不透光領域２１０があり、これにより図３に示されるように、可視光２１５が光線制御膜２００の直條状不透光領域２１０を通過する時、可視光２１５が直條状不透光領域２１０に制限されて可視角θを具備する。
【０００７】
ディスプレイパネル１１０の発射する可視光２１５はディスプレイパネル１１０中の光線制御膜２００の直條状不透光領域２１０経路上のみで可視角を形成し、このため光線制御膜２００中の不透光領域２１０の直條状と図１中のディスプレイパネル１１０の左右両側が平行である時、ディスプレイパネル１１０の表示画像の可視角範囲はディスプレイパネル１１０の左右両側となり、且つ可視角はθとなる。
【０００８】
これにより、光線制御膜２００の直條状不透光領域２１０はディスプレイパネル１１０の上下両側と平行でなく、ディスプレイパネル１１０の表示画像はディスプレイパネル１１０の上下両側にあって可視角を具備しない。
【０００９】
ゆえに使用者が図１のディスプレイパネルを使用する時、他人がディスプレイパネル１１０の上下両側よりディスプレイパネル１１０の表示する画像を盗み見ることができる。
【００１０】
このほか、図３の周知の光線制御膜２００は不透光領域２１０を形成するため、二層の光線伝導膜２１１、２１３の表面にそれぞれ凹溝を形成し並びに不透光材料を充填し、最後に二層を貼り合わせる方式で光線伝導膜２１１、２１３を貼り合わせてなる。この二層の光線伝導膜２１１、２１３で組成された光線制御膜２００は製造方法上、複雑である。
【考案の開示】
【考案が解決しようとする課題】
【００１１】
上記従来の技術の欠点を鑑み、本考案は一種の光線制御膜を提供する、それはパーソナルコンピュータのディスプレイパネルに運用され、使用者以外の他人がディスプレイパネルの上下よりその表示画像を覗き見ることができる問題を解決し、且つ光線制御膜の製造方法を周知の技術よりも大幅に簡易化できる構造を有するものとする。
【００１２】
本考案の主要な目的は、一種の光線制御膜を提供することにあり、この光線制御膜は、光線伝導膜及び光線伝導膜に設けられた不透光領域で構成する。そのうち、光線伝導膜は透光材料で構成し、且つ光線伝導膜は水平に延伸された表面と表面に垂直な厚さを具備するものとする。不透光領域はこの光線伝導膜に形成され、且つ不透光領域は光線伝導膜の厚さ方向に沿って延伸された高さと、光線伝導膜の表面に平行な長さを具備する。
【００１３】
また、不透光領域の長さは光線伝導膜表面に平行な方向に延伸され並びに少なくとも３６０度角の環状に設けられ、光線伝導膜の表面に少なくとも一つの環状の不透光領域を形成するものとする。
【００１４】
本考案の好ましい実施例において、不透光領域の長さは半径が漸増する方式で連続的に延伸されて光線伝導膜に設けられ、螺旋状の不透光領域を形成するものとする。
【００１５】
別の本考案の好ましい実施例において、不透光領域はまた複数の独立し不連続の円状不透光領域を具え、即ち各不透光領域の長さが３６０度角に円状をなすよう延伸され、各円状不透光領域の中心は同一点とされるが異なる半径を具備し、これにより光線伝導膜が多層円形連続波状の不透光領域を形成するものとする。
【００１６】
本考案の光線制御膜中、光線伝導膜に螺旋状或いは多層円形連続波状の不透光領域が設けられ、使用者が光線伝導膜を通して画像を観る時、螺旋状或いは多層円形連続波状の不透光領域により画像がその可視方向範囲内でいずれも可視角の制限を有し、使用者が可視角範囲を超過する時、画像を観ることができない。
【００１７】
このほか、本考案の好ましい実施例では、不透光材料が光線伝導膜の凹溝中より脱落しないように、光線伝導膜の表面に一層の保護層が設けられている。
【００１８】
本考案の光線制御膜は、光線制御膜をパーソナルコンピュータのディスプレイパネルに運用する時、周囲の他人によりディスプレイパネルの上下よりその表示画面を覗き見させないようにする効果を達成する。
【課題を解決するための手段】
【００１９】
請求項１の考案は、透光材料で形成された光線伝導膜を具え、該光線伝導膜が水平に延伸された表面と、該表面に垂直な厚さを具え、少なくとも一つの不透光領域が、該光線伝導膜の表面に形成され、該不透光領域が該厚さ方向に延伸された高さと、該表面に平行な長さを具え、
該不透光領域の該長さが該表面に平行な方向に少なくとも３６０度角をなすよう延伸されて、光線伝導膜の表面に少なくとも一つの環状の不透光領域が形成されたことを特徴とする、光線制御膜としている。
請求項２の考案は、請求項１記載の光線制御膜において、光線伝導膜の表面にあって不透光領域の長さが半径が漸増する方式で連続して延伸されて、螺旋状の不透光領域が形成されたことを特徴とする、光線制御膜としている。
請求項３の考案は、請求項１記載の光線制御膜において、複数の独立し不連続の円状不透光領域を具え、各不透光領域の長さがいずれも３６０度角をなすよう延伸され、各円状不透光領域の中心が同一点とされるが異なる大きさの半径を具え、これにより光線伝導膜の表面に多層円形連続波状の不透光領域が形成されたことを特徴とする、光線制御膜としている。
【考案の効果】
【００２０】
綜合すると、本考案の光線制御膜は、光線制御膜に螺旋状或いは多層円形連続波状の不透光領域が形成されてこの光線制御膜がパーソナルコンピュータのディスプレイパネルに運用される時、使用者以外の他人がディスプレイパネル平面の任意の可視方向よりディスプレイパネルに表示された画像を盗み観るのを確実に有効に防止できる。且つ本考案の光線制御膜は単一層の光線伝導膜をその基材としており、その製造方法は従来のものより簡易化され製造コストも減らされている。
【考案を実施するための最良の形態】
【００２１】
本考案は、使用者が周知の光線制御膜を設けたディスプレイパネルを使用する時に、ディスプレイパネル内の周知の光線制御膜がディスプレイパネルの映し出す画像に、パネルの各側の方向にあって可視角の制限を発生させることができない問題を解決する。このため、本考案は、不透光領域に光線伝導膜の厚さ方向に延伸させた厚さと光線伝導膜の表面に平行な方向の長さを具備させるほか、不透光領域の長さを光線伝導膜の表面に平行な方向に延伸させ並びに少なくとも３６０度角を成すように延伸し、光線伝導膜の表面に少なくとも一つの環状の不透光領域を形成する。
【００２２】
環状の不透光領域の長さ接線方向はディスプレイパネルの各一側の方向と平行であり得るため、本考案の光線制御膜はディスプレイパネルの表示する画像に任意の可視方向にあって可視角の制限を発生させることができる。
【００２３】
図４は本考案の実施例の螺旋状不透光領域を具えた光線制御膜の表示図である。本考案の光線制御膜は、透光材料で形成された光線伝導膜（それは光線制御膜３００の基材とされる）、及び、少なくとも一つの不透光領域３１０を具えている。該光線制御膜３００は水平方向に延伸された表面と該表面に垂直な厚さを具えている。不透光領域３１０は該光線制御膜３００の表面に形成され、該不透光領域３１０は光線制御膜３００の厚さ方向に延伸された高さ、及び、該光線制御膜３００の該表面に平行な長さを具備し、且つ不透光領域３１０の該高さは光線制御膜３００の厚さより小さい。そのうち、該不透光領域３１０の長さは該表面と平行な方向に延伸され並びに湾曲させられて巻回状とされ少なくとも３６０度角を呈するものとされ、光線伝導膜の表面に少なくとも一つの円弧環状の不透光領域３１０が形成される。
【００２４】
図４に示される実施例中、該光線制御膜３００の不透光領域３１０は螺旋状とされ、即ち、該不透光領域３１０の長さは該光線制御膜３００の該表面において、半径が徐々に漸増する方式で連続的に延伸され、螺旋状の不透光領域３１０を形成している。これにより螺旋状の不透光領域３１０の経路が光線制御膜３００の任意の可視方向に対応する。可視光３２０が螺旋状不透光領域３１０の経路で可視角θの制限を形成し、可視光３２０は可視角θの制限の範囲は光線制御膜３００平面上の任意の可視方向、例えばＸ方向或いはＹ方向に対応する。
【００２５】
光線制御膜３００の螺旋状不透光領域３１０が可視光３２０を螺旋状経路にあって可視角θの制限を具備するよう制御するため、可視光３２０の可視方向にあって、光線制御膜３００上の制限付き可視方向は、周知のＸ方向とＸ方向の逆方向だけでなく、Ｙ方向とＹ方向の逆方向を含むものとなる。且つ本考案の好ましい実施例中、可視光３２０はその限度付き可視方向が更に光線制御膜３００平面上の任意の可視方向を含み、また、螺旋状不透光領域３１０の光線制御膜３００がその制限する可視光３２０に具備させる視角θの制限の範囲は、螺旋状不透光領域３１０の最外周以内とされる。ゆえに、ディスプレイパネル中にこの螺旋状不透光領域３１０の光線制御膜３００が設けられることで、確実に使用者以外の他人がディスプレイパネルの平面の任意の方向からディスプレイパネルの表示画像を盗み見るのを防止できる。
【００２６】
本考案は別に一種の光線制御膜を提供しており、それは有効に使用者以外の他人がディスプレイパネル平面の任意の方向からディスプレイパネルに表示された画像を盗み見るのを防止できる。図５は本考案の別の実施例の多層円形連続波状不透光領域を具えた光線制御膜の表示図である。図５中、光線制御膜４００は多層円形連続波状の不透光領域４１０を具えている。即ち、光線制御膜４００に複数の独立し不連続の円状不透光領域４１０が形成され、各不透光領域３１０の長さが延伸され３６０度の円形を呈するものとされ、且つ各円状不透光領域４１０の中心は同一点とされるが、異なる半径を具備し、これにより、該光線制御膜４００の表面に多層円形連続波状の複数の不透光領域４１０が形成される。図４と同様に、可視光４２０は多層円形連続波状の不透光領域４１０の経路上で可視角θの制限を形成し、且つ可視光４２０の可視角θの制限を有する範囲は多層円形連続波状不透光領域４１０の最外周とされる。これにより、ディスプレイパネル中にこの多層円形連続波状不透光領域４１０を具えた光線制御膜４００が設けられる時、使用者以外の他人が表示された画像をディスプレイパネル平面の任意の可視方向から覗き見るのを防止できる。
【００２７】
本考案の光線制御膜の製造方法は図６に示されるとおりであり、図６中、ＡからＤは本考案の好ましい実施例の光線制御膜の製造方法のステップを示す。
光線制御膜は光を透過させられる光線伝導膜とされ、このため図６のＡ中、本考案の好ましい実施例の光線制御膜に使用される基材は即ち光線伝導膜５００とされる。光線伝導膜５００に図４のような螺旋状或いは図５に示されるような多層円形連続波状の不透光領域を形成するため、光線伝導膜５００の表面に螺旋状或いは多層円形連続波状の凹溝５１０をエッチングにより形成する。
【００２８】
光線伝導膜５００表面に螺旋状或いは多層円形連続波状の凹溝５１０を形成した後、図６のＢに示されるように、不透光材料５２０を光線伝導膜５００の表面及び凹溝５１０中に塗布する。
【００２９】
最後に、光線伝導膜５００表面の余分の不透光材料５２０を洗い流し、不透光材料５２０を凹溝５１０中のみに充填する。
【００３０】
これにより、光線伝導膜５００の表面の凹溝５１０中に不透光材料５２０を充填した構造を形成し、図４の螺旋状或いは図５の多層円形連続波状の不透光領域を形成する。
【００３１】
光線伝導膜５００表面をエッチングして螺旋状或いは多層円形連続波状の凹溝５１０を形成するとき、多層円形連続波状の凹溝５１０内壁のティルト角を調整することにより、光線が光線制御膜を通過する時の可視角を制御することができる。
【００３２】
このほか、本考案の好ましい実施例によると、光線伝導膜５００表面の凹溝５１０中の不透光材料５２０の脱落を防止するため、図５のＤのように、光線伝導膜５００及び不透光材料５２０の表面に一層の透光材料の保護膜５３０を塗布し、保護膜５３０を凹溝５１０中の不透光材料５２０に緊密に接合させる。
【００３３】
本考案の好ましい実施例の光線制御膜の構造と製造方法は周知の技術と比較すると、本考案は光線制御膜製造時に単一層の光線伝導膜５００を使用するだけであり、一方、図３の周知の技術は二層を使用している。このため本考案の光線制御膜及びその製造方法は周知の技術よりも簡単であり、且つ光線制御膜の材料コストも大幅に減少される。
【図面の簡単な説明】
【００３４】
【図１】周知の光線制御膜を使用したパーソナルコンピュータのディスプレイパネル表示図である。
【図２】周知の光線制御膜の平面図である。
【図３】周知の光線制御膜の断面図である。
【図４】本考案の実施例の螺旋状不透光領域を具えた光線制御膜の表示図である。
【図５】本考案の別の実施例の多層円形連続波状不透光領域を具えた光線制御膜の表示図である。
【図６】本考案の好ましい実施例の光線制御膜製造ステップ図である。
【符号の説明】
【００３５】
１１０  ディスプレイパネル
１２０  他人
１３０  使用者
２００、３００、４００  光線制御膜
２１０、３１０、４１０  不透光領域
２１１、２１３、５００  光線伝導膜
２１５、３２０、４２０  可視光
５１０  凹溝
５２０  不透光材料
５３０  保護膜
θ  可視角
Ｘ、Ｙ  方向
【図１】
0003101245.tif 000003
【図２】
0003101245.tif 000004
【図３】
0003101245.tif 000005
【図４】
0003101245.tif 000006
【図５】
0003101245.tif 000007
【図６】
0003101245.tif 000008